(57)【特許請求の範囲】
【請求項１】
水が吸収する波長の赤外光を霧に断続的に照射し水の分子振動に共振吸収させて凝集させ結合消去する、
ことを特徴とする消霧方法。
【請求項２】
請求項１記載の消霧方法であって、
前記結合消去に加え、前記赤外光を吸収する材料で形成された凝集媒体に前記断続的な赤外光を照射して共鳴させ定在波音場を形成して消霧する、
ことを特徴とする消霧方法。
【請求項３】
請求項１又は２記載の消霧方法であって、
前記結合消去に加え、導電性材料で形成された凝集媒体に断続周波数の通電を行って共鳴させ定在波音場を形成して消霧する、
ことを特徴とする消霧方法。
【請求項４】
請求項１又は２記載の消霧方法であって、
前記結合消去に加え、圧電効果性材料で形成された凝集媒体に断続周波数の電圧印加を行って共鳴させ定在波音場を形成して消霧する、
ことを特徴とする消霧方法。
【請求項５】
請求項１記載の消霧方法に使用する消霧装置であって、  
前記赤外光を霧に照射する光照射部と、
前記光照射部を制御して断続的な赤外光を照射させる光制御部と、
を備えたことを特徴とする消霧装置。
【請求項６】
請求項５記載の消霧装置であって、  
赤外光を吸収する材料で形成され前記断続的な赤外光の照射で共鳴し定在波音場を形成する凝集媒体を備えた、
ことを特徴とする消霧装置。
【請求項７】
請求項５記載の消霧装置であって、  
前記光照射部は、前記凝集媒体の幅方向両側から赤外光の照射角を考慮して交互に対向配置された、
ことを特徴とする消霧装置。
【請求項８】
請求項５〜７の何れかに記載の消霧装置であって、  
導電性材料で形成され断続周波数の通電により共鳴し定在波音場を形成する凝集媒体と、
前記凝集媒体に断続周波数の通電を行う通電制御部と、
を備えたことを特徴とする消霧装置。
【請求項９】
請求項５〜７の何れかに記載の消霧装置であって、  
圧電効果性材料で形成され断続周波数の電圧印加により共鳴し定在波音場を形成する凝集媒体と、
前記凝集媒体に断続周波数の電圧印加を行う電圧制御部と、
を備えたことを特徴とする消霧装置。
【請求項１０】
請求項７〜９の何れかに記載の消霧装置であって、
前記凝集媒体は、網状又は格子状である、
ことを特徴とする消霧装置。
【請求項１１】
請求項７〜１０の何れかに記載の消霧装置であって、
前記凝集媒体は、折り畳み可能に形成され、
前記凝集媒体を開閉駆動する開閉駆動部と、
前記開閉駆動部を制御する開閉制御部と、
を備えたことを特徴とする消霧装置。
【請求項１２】
請求項５〜１１の何れかに記載の消霧装置であって、
消霧能力を拡大するためにＣＯ２レーザー出力部と、
前記ＣＯ２レーザー出力部を必要時に制御してＣＯ２レーザーを出力させるＣＯ２レーザー制御部と、
を備えたことを特徴とする消霧装置。
【請求項１３】
請求項５〜１２の何れかに記載の消霧装置であって、
霧の発生を検出して各部の運転、停止の起因とする霧発生検出部を備えた、
ことを特徴とする消霧装置。
【発明の詳細な説明】
【技術分野】
【０００１】
本発明は、道路や航路・飛行場・橋・ゴルフ場などの施設へ流れ込む霧の消霧に供する消霧方法及び装置に関する。
【背景技術】
【０００２】
従来の消霧方法としては、例えば特許文献１〜４に記載されたものがある。
【０００３】
特許文献１は、霧を吸引して加熱・乾燥した後に大気に還流する方法、特許文献２は、コロナ放電を誘発して霧を水滴化して捕捉する方法、エアカーテンを形成して霧の進入を阻止する方法、特許文献３は、特定波長の遠赤外線を霧やこれを反射するネットに照射し霧粒子を分裂させる方法、特許文献４は、波長３μｍをピーク波長とするハロゲンランプを霧に照射し自己分裂させる方法である。
【０００４】
しかし、特許文献１の蒸発促進を図る加熱型の消霧方式では、大規模な加熱装置が必要であり、熱を効率的に伝搬できない。
【０００５】
特許文献２のコロナ放電を誘発して霧を水滴化して捕捉する方法やエアカーテンを形成して霧の進入を阻止する方法も、大型な放電装置やコンプレッサー装置などが必要であるにも関わらず消霧の効率が低かった。
【０００６】
特許文献３の特定波長の遠赤外線を霧へ直接照射すると同時にネットで反射させる方法では、霧の微水滴粒子（粒径：１０〜３０μｍ）を赤外線の作用で粒径７μｍ以下に分裂させるため、大きな熱や運動エネルギーを必要とする。
【０００７】
また、波長域が６〜２５μｍに最大ピークを有する半値全幅３μｍ程度の広い波長を照射しているため、水の分子振動に共振する波長の３μｍ、６μｍ、９μｍに最大吸収を有する半値全幅０．５μｍの吸収波長帯よりも照射波長幅が非常に広く、霧以外へエネルギーを供給してしまうため、自然界へのエネルギーの散逸が生じ環境への影響が大きい。
【０００８】
特許文献４の、波長３μｍをピーク波長（半値全幅３μｍ程度）とするハロゲン・ランプを霧に照射し自己分裂させる方法も、特許文献３同様の問題がある。
【先行技術文献】
【特許文献】
【０００９】
【特許文献１】特開平７―３１７０３９号公報
【特許文献２】特開平７−２２４４１４号公報
【特許文献３】特許第４３７８４３８号公報
【特許文献４】特開２０１０−１１６６８９号公報
【発明の概要】
【発明が解決しようとする課題】
【００１０】
解決しようとする問題点は、消霧をエネルギー効率良くできなかった点である。
【課題を解決するための手段】
【００１１】
本発明の消霧方法は、消霧をエネルギー効率良く行わせるために、水が吸収する波長の赤外光を霧に断続的に照射し水の分子振動に共振吸収させて凝集させ結合消去することを特徴とする。
【００１２】
本発明の消霧装置は、前記消霧方法に使用する消霧装置であって、前記赤外光を霧に照射する光照射部と、前記光照射部を制御して断続的な赤外光を照射させる光制御部とを備えたことを特徴とする。  
【発明の効果】
【００１３】
本発明の消霧方法は、上記のように水が吸収する波長の赤外光を霧に断続的に照射し水の分子振動に共振吸収させて凝集させ結合消去するから、赤外光の照射波長幅を無駄に広くする必要がなく、照射した赤外光を消霧に効率的に用い、エネルギーの散逸を抑制し、エネルギー効率良く消霧を行わせることができる。
【００１４】
本発明の消霧装置は、上記構成であるから、凝集媒体と光照射部とにより、照射した赤外光を消霧に効率的に用い、エネルギーの散逸を抑制し、エネルギー効率良く消霧を行わせることができる。
【図面の簡単な説明】
【００１５】
【図１】道路に設置した消霧装置の概略斜視図である。（実施例１）
【図２】消霧装置の要部正面図である。（実施例１）
【図３】消霧装置の要部正面図である。（実施例１）
【図４】凝集網体の概略図である。（実施例１）
【図５】（Ａ）（Ｂ）は、それぞれ凝集網体の線材を示す斜視図である。（実施例１）
【図６】凝集網体の概略図である。（実施例１）
【図７】光照射部の交互配置を示す概略図である。（実施例１）
【図８】消霧装置を自動化した消霧システムの一例を示すブロック図である。（実施例１）
【図９】消霧システムの動作を示す消霧フローチャートである。（実施例１）
【図１０】水の吸収波長を示すグラフである。（実施例１）
【発明を実施するための形態】
【００１６】
消霧を効率的に行わせるという目的を、水が吸収する波長の赤外光を霧に断続的に照射し水の分子振動に共振吸収させて凝集させ結合消去することにより実現した。
【実施例１】
【００１７】
［消霧装置］
図１は、道路に設置した消霧装置の概略斜視図である。
【００１８】
図1のように、消霧装置１は、施設である道路３の両側側帯に設けられている。消霧装置１は、霧の通路に配置され、霧が発生して道路３に流れ込むときに稼働し、消霧する。なお、霧の発生及び流れにはその地域、施設により一定のパターンがあり、このパターンを予め把握し、霧の通路に消霧装置１を設置する。
【００１９】
消霧装置１の稼働、非稼働の判断は、画像認識或いはセンサーを用いて行われ、稼働の程度は、霧の濃度や粒子の大きさ、分布を考慮して最適な条件を制御する。
【００２０】
図２は、消霧装置の要部正面図である。
【００２１】
図1、図２のように、消霧装置１は、凝集網体組５を備え、光照射部として複数個の照射ランプ７、ＣＯ２レーザー出力部８、霧発生検出部として遠赤外線センサー１０を備えている。
【００２２】
凝集網体組５は、網状の凝集媒体として複数枚の凝集網体９を備え、各凝集網体９は、矩形面状に形成され、例えば縦長に配置されている。各凝集網体９の両側縁は、絶縁性の支持材１１に結合され、支柱１３間で一方の市中１３側へ屏風状に折り畳み可能となっている。凝集網体組５の折りたたみ及び展開は、架設されたレールに各支持材１１を可動支持し、各支持材１１を連結するワイヤを電動モータにより走行駆動するなどして行わせることができる。
【００２３】
凝集網体組５は、支柱１３等を含めて全体が凝集媒体として機能する。
【００２４】
各凝集網体９は、それぞれ交流電源に接続され、通電可能となっている。この交流電源により高速度の交流を通電することができる。なお、高速度の交流通電は、高速度のパルス通電に代えることもできる。
【００２５】
照射ランプ７は、支持材１１に取り付けられ、赤外光を霧及び凝集網体９に照射するものである。この照射ランプ７は、凝集網体９の幅方向両側から赤外光の照射角を考慮して交互に対向配置されている。例えば図２では、各凝集網体９の両側に、２個ずつ照射ランプ７が配置され、対向する照射ランプ７の位置を支持材１１に沿ってずらして配置され、凝集網体９の全体に赤外光が照射されるように考慮されている。
【００２６】
ＣＯ２レーザー出力部８は、複数個の照射ランプ７を備えている消霧装置１で消霧能力を超えたり、エネルギー補足が必要な場合に、消霧能力拡大により消霧効果を促進させる。このＣＯ２レーザー出力部８は、水に吸収作用する波長帯が狭く、無駄なエネルギーを必要としない。
【００２７】
遠赤外線センサー１０は、凝集網体組５に隣接して設けられている。遠赤外線センサー１０により霧の成分を検知し、霧発生時のみ消霧装置１を稼働させることができる。なお、霧発生検出部は、霧の発生を検出できれば良く、遠赤外線センサー１０以外のものを適用することもできる。
【００２８】
図３は、消霧装置の変形例に係る要部正面図であり、凝集網体組５Ａの配置方向を変更したものである。
【００２９】
凝集網体９が支柱１３間で横長に配置され、各支持材１１の両端が、支柱１３に移動及び位置決め可能に支持されている。
【００３０】
したがって、図３の場合は、凝集網体組５Ａを、支持材１１を折れ線として凝集網体組５を上下方向で屏風状に折りたたむことができる。
［凝集媒体］
図４は、凝集網体の概略図、図５（Ａ）（Ｂ）は、それぞれ凝集網体の線材を示す斜視図である。
【００３１】
図４のように、凝集網体９は、図５で示す線材１５、１５Ａを用いて網状に形成したものである。
【００３２】
線材１５は、例えば金属、カーボン・ファイバー、導電性高分子材等で形成され、赤外光を吸収可能かつ通電可能となっている。
【００３３】
線材１５Ａは、芯材１５Ａａ及び被覆材１５Ａｂからなり、芯材１５Ａａは、線材１５と同様な材質で形成され、赤外光を吸収可能かつ通電可能となっている。被覆材１５Ａｂは、セラミック等で形成され、赤外光を吸収可能となっている。
【００３４】
図６は、凝集媒体の変形例に係る概略図である。
【００３５】
図６のように、凝集媒体を格子状の膜に形成した凝集格子膜体９Ｂとすることもできる。
【００３６】
凝集格子膜体９Ｂは、厚み方向の一側９Ｂａが線材１５と同様な材質で形成され、赤外光を吸収可能かつ通電可能となっている。凝集格子膜体９Ｂは、厚み方向の一側９Ｂｂは、セラミック等で形成され、赤外光を吸収可能となっている。
【００３７】
凝集網体９や凝集格子膜体９Ｂの材質や太さ・目の大きさを選定することにより、後述する赤外光の吸収率や加熱の効率・圧電効率及び霧の凝集に効果的な定在波音場の共鳴周波数を選択する。
【００３８】
凝集媒体は、通電可能又は赤外光吸収可能の何れかの特性に構成することもできる。また、凝集媒体は、霧凝集の媒体であれば良く、網状、格子状のほか、多孔体状等に形成することもできる。
［交互配置］
図７は、光照射部の交互配置を示す概略図である。
【００３９】
光照射部である照射ランプ７は、例えばカーボンや金属ヒーター等の赤外灯１７とバンドパス・フィルタ１９とを組み合わせたものであり、照射角θを得る反射板２１を備えている。
【００４０】
照射角θを考慮して、図７のように照射範囲の外縁を相互に合わせるように交互配置すると、凝集網体９のほぼ全面に赤外光を無駄なく照射することができる。
【００４１】
照射ランプ７は、発光ダイオード（LED）やレーザー発振器を用いることもできる。
［消霧］
本発明実施例では、照射ランプ７による赤外光の照射で水の分子振動に共振吸収させて凝集させ、さらに凝集網体組５に定在波音場を形成して凝集を促進させ、凝集網体組５を凝集の核として結合消去する。
【００４２】
（分子振動）
照射ランプ７に通電し、水に吸収する最大波長1.5μｍで半値幅0.3μｍ、最大波長2μｍで半値幅0.5μｍ、 最大波長3μｍで半値幅0.7μｍ、最大波長4.5μｍで半値幅1.5μｍ、最大波長6μｍで半値幅1.5μｍ、最大波長10μｍで半値幅2μｍの赤外光を出力する。
【００４３】
この出力は、高速度の交流やパルスのように断続的に行われる。
【００４４】
図８は、水の吸収波長を示すグラフである。
【００４５】
図８のように、最下段の水の吸収波長３μｍをターゲットとし、赤外灯１７による発光スペクトル２３をバンドパス・フィルタ１９を通すことで、最大波長3μｍで半値幅0.7μｍの発光スペクトル２５の赤外光を出力する。
【００４６】
ＣＯ２レーザー出力部８は、最下段の水の吸収波長１０μｍをターゲットとし、１０μｍの発光スペクトル３０の赤外光を出力する。
【００４７】
ＬＥＤの場合は、そのまま発光スペクトル２７となり、レーザーの場合は、発光スペクトル２９となる。
【００４８】
このように、水が吸収する波長の赤外光を霧に断続的に照射し水の分子振動に共振吸収させて凝集させ結合消去する。
【００４９】
（定在波音場）
さらに本実施例では、凝集網体９やこれを支える支持材１１や支柱１３に赤外光を照射し、赤外光の断続周波数を霧が凝集する音波の音場を定在させる周波数として共鳴させ、定在波音場を形成して凝集を促進させる。
【００５０】
照射ランプ７による上記赤外光の断続的な照射で、各凝集網体９又は凝集格子体９Ｂ等が赤外光を断続的に吸収し、固有振動数に共振して凝集網体組５に定在波音場が形成される。
【００５１】
すなわち、霧が凝集する音波音場を定在させる周波数として共鳴させ、霧を凝集させ結合して消去する。
【００５２】
定在波音場は、各凝集網体９の線材１５や線材１５Ａの芯材１５Ａａ、凝集格子膜体９Ｂの厚み方向の一側９Ｂａに高速度の交流通電やパルス通電によりジュール加熱を行い、熱膨張時の音波発生により形成することもできる。
【００５３】
各凝集網体９の線材１５や線材１５Ａの芯材１５Ａａ、凝集格子膜体９Ｂの厚み方向の一側９Ｂａを圧電効果性材料で形成した場合は、高速な断続周波数の電圧印加により霧が凝集する音波音場を定在させる周波数として共鳴させ、定在波音場を形成することができる。圧電効果性材料としては、圧電セラミックなどがある。
【００５４】
なお、定在波音場は、赤外光を断続的に吸収して形成する場合、交流通電やパルス通電によりジュール加熱を行い、熱膨張時の音波発生により形成する場合、高速な断続周波数の電圧印加により形成する場合をそれぞれ独立に適用し、或いは実施例のように赤外光を断続的に吸収して形成する場合と交流通電やパルス通電によりジュール加熱を行い、熱膨張時の音波発生により形成する場合とを組み合わせるなど、任意の組み合わせにより形成する場合の何れも可能である。
［消霧システム］
図８は、消霧装置を自動化した消霧システムの一例を示すブロック図である。
【００５５】
図８のように、消霧システムは、監視制御部３１を備え、この監視制御部３１の入力ポートに、遠赤外線センサー１０が接続され、同出力ポートに、前記照射ランプ７、ＣＯ２レーザー出力部８が接続されている。
【００５６】
監視制御部３１は、例えばコンピュータで構成され、ＣＰＵ、ＲＯＭ、ＲＡＭ等を備えている。
【００５７】
照射ランプ７は、監視制御部３１により制御され、断続的な赤外光を照射させる。したがって、監視制御部３１は、光制御部を構成する。
【００５８】
ＣＯ２レーザー出力部８は、監視制御部３１により制御され、ＣＯ２レーザー出力部８を必要時に制御してＣＯ２レーザーを出力させ、消霧能力を拡大する。したがって、監視制御部３１は、ＣＯ２レーザー制御部を構成する。
【００５９】
監視制御部３１の出力ポートには、さらに電動モータなどの開閉駆動部３３、断続周波数の通電部３５が接続され、開閉駆動部３３、断続周波数の通電部３５の出力信号が、凝集網体組５へ入力される。
【００６０】
この入力により、凝集網体組５の凝集網体９が開閉駆動されて展開及び折りたたみが行われ、断続周波数の通電が制御されて定在波音場が形成される。
【００６１】
したがって、この例において凝集媒体は、導電性材料で形成された凝集網体９であり、監視制御部３１は、凝集媒体に断続周波数の通電を行う通電制御部を構成する。
【００６２】
凝集媒体が圧電効果性材料で形成された凝集格子膜体９Ｂであり、断続周波数の電圧印加により共鳴し定在波音場を形成する場合は、監視制御部３１は、凝集媒体に断続周波数の圧電印加を行う圧電制御部を構成する。
【００６３】
遠赤外線センサー１０は、霧の発生を検出して監視制御部３１へ入力し、監視制御部３１が各部の運転、停止を行うための起因とする。したがって、遠赤外線センサー１０は、霧発生検出部を構成する。
［消霧動作］
図９は、図８消霧システムの動作を示す消霧フローチャートである。
【００６４】
電源の投入によりシステムが起動すると、ステップＳ１において「霧の発生を監視」の処理が実行され、遠赤外線センサー１０の検出信号が読み込まれ、ステップＳ２へ移行する。
【００６５】
ステップＳ２では、「霧が発生したか？」の判断処理が実行され、遠赤外線センサー１０の検出信号により霧が発生したと判断されたときは（Ｙｅｓ）、ステップＳ３へ移行し、霧が発生していないと判断されたときは（Ｎｏ）、ステップＳ１へ戻る。
【００６６】
ステップＳ３では、「折りたたんである凝集体を広げる」の処理が実行され、監視制御部３１の制御により開閉駆動部３３が駆動され、凝集網体組５の凝集網体９が展開される。
【００６７】
ステップＳ４では、「凝集媒体に断続周波数の通電」の処理が実行され、監視制御部３１の制御により通電部３５が駆動され、凝集網体組５の凝集網体９に断続周波数の通電が行われる。
【００６８】
この通電、すなわち高速度の交流通電やパルス通電により凝集網体９のジュール加熱を行い、熱膨張時の音波発生により霧が凝集する音波音場を定在させる周波数として共鳴させ、霧を凝集させ結合して消去する。
【００６９】
ステップＳ５では、「照射ランプ点灯」の処理が実行され、監視制御部３１の制御により照射ランプ７への通電が高速度の交流やパルスのように断続的に行われる。
【００７０】
この通電により、水が吸収する波長の赤外光を霧に断続的に照射し水の分子振動に共振吸収させて凝集させ結合消去する。
【００７１】
加えて、照射ランプ７による赤外光の断続的な照射で、各凝集網体９が赤外光を断続的に吸収し、固有振動数に共振して凝集網体組５に定在波音場が形成される。
【００７２】
すなわち、霧が凝集する音波音場を定在させる周波数として共鳴させ、霧を凝集させ結合して消去する。
【００７３】
ステップＳ６では、「霧の消滅を監視」の処理が実行され、遠赤外線センサー１０の検出信号が読み込まれ、ステップＳ７へ移行する。
【００７４】
ステップＳ７では、「霧が消滅したか？」の判断処理が行われ、霧が消滅したと判断されたときは（Ｙｅｓ）、ステップＳ８へ移行し、霧が消滅していないと判断されたときは（Ｎｏ）、ステップＳ９へ移行する。
【００７５】
ステップＳ９では、「視程が一定値以下？」の判断処理が実行され、遠赤外線センサー１０の検出信号により視程が一定値以下であると判断されたときは（Ｙｅｓ）、ステップＳ１０へ移行し、視程が一定値を上回ると判断されたときは（Ｎｏ）、ステップＳ１１へ移行する。
【００７６】
ステップＳ１０では、「ＣＯ２レーザー照射」の処理が実行され、監視制御部３１によりＣＯ２レーザー出力部８を制御してＣＯ２レーザーを出力させ、消霧能力を拡大する。
【００７７】
ステップＳ１０からは、ステップＳ６へ戻り、ステップＳ７で霧が消滅したと判断されるまでＳ９、Ｓ１０が繰り返され、視程が一定値を上回ればＳ１１へ移行する。
【００７８】
ステップ１１では、「ＣＯ２レーザー停止」の処理が実行され、監視制御部３１の制御によりＣＯ２レーザー出力部８を制御してＣＯ２レーザー出力を停止させ、現消霧能力を維持させる。
【００７９】
ステップＳ１１からは、Ｓ６、Ｓ７、Ｓ８へと移行する。
【００８０】
ステップＳ８では、「照射ランプ停止」の処理が実行され、照射ランプ７への通電が停止されてステップＳ１２へ移行する。
【００８１】
ステップＳ１２では、「断続周波数の通電停止」の処理が実行され、断続周波数の通電部３５による凝集網体９への断続周波数の通電が停止され、ステップＳ１３へ移行する。
ステップＳ１３では、「凝集媒体をたたむ」の処理が実行され、監視制御部３１の制御により開閉駆動部３３が駆動され、凝集網体組５の凝集網体９が折りたたまれ、消霧動作が終了する。
［実施例の作用効果］
本発明実施例の消霧方法は、水が吸収する波長の赤外光を霧に高速度で断続的に照射し水の分子振動に共振吸収させて凝集させ結合消去することができる。
【００８２】
赤外光の照射波長幅を無駄に広くする必要がなく、照射した赤外光を消霧に効率的に用い、エネルギーの散逸を抑制し、効率的な消霧を行わせることができる。
【００８３】
赤外光を吸収する金属、カーボン・ファイバー、導電性高分子材、セラミック等で形成され断続的な赤外光の照射で共鳴して定在波音場を形成する凝集網体９又は凝集格子膜体９Ｂを前記霧の通路に設置する。
【００８４】
このため、定在波音場により凝集網体９又は凝集格子膜体９Ｂでの霧の凝集が促進され、エネルギーの散逸を抑制しながら確実な消霧を行わせることができる。
【００８５】
金属、カーボン・ファイバー、導電性高分子材等の導電性材料で形成され高速度の断続周波数の高流通電やパルス通電によりジュール加熱を行い、熱膨張時の音波発生により定在波音場を形成する凝集網体９又は凝集格子膜体９Ｂを霧の通路に設置する。
【００８６】
このため、定在波音場により凝集網体９又は凝集格子膜体９Ｂでの霧の凝集が促進され、エネルギーの散逸を抑制しながら確実な消霧を行わせることができる。
【００８７】
圧電セラミック等の圧電効果性材料で形成され断続周波数の電圧印加により共鳴して定在波音場を形成する凝集網体９又は凝集格子膜体９Ｂを霧の通路に設置する。
【００８８】
このため、定在波音場により凝集網体９又は凝集格子膜体９Ｂでの霧の凝集が促進され、エネルギーの散逸を抑制しながら確実な消霧を行わせることができる。
【００８９】
複数枚の凝集網体９又は凝集格子膜体９Ｂは、折り畳み可能である。
【００９０】
このため、霧が出ていないときに折り畳み、コンパクトに保持させることができ、且つ異物の付着も抑制することができる。この折り畳みは、モータ駆動を用い、霧の有無を検出することで自動で行わせることもできる。
【００９１】
凝集網体９又は凝集格子膜体９Ｂと、赤外光を凝集網体９又は凝集格子膜体９Ｂに照射する照射ランプ７とにより、水の分子振動に共振吸収させ、定在波音場により凝集を促進させ、エネルギーの散逸を抑制しながら確実な消霧を行わせることができる。
【００９２】
照射ランプ７は、凝集網体９又は凝集格子膜体９Ｂの幅方向両側から赤外光の照射角θを考慮して交互に対向配置した。
【００９３】
このため、少ない個数で凝集網体９又は凝集格子膜体９Ｂの全体に赤外光を照射することができ、エネルギーの散逸を抑制しながら確実な消霧を行わせることができる。
【００９４】
また、ＣＯ２レーザーのように、水に吸収作用する波長帯が狭く、無駄なエネルギーを必要としない霧の粒子に限定して作用するエネルギー供給による霧粒子の結合促進を行うことができる。
【００９５】
すなわち、  ネットによる消霧効果に加え、高濃度な霧の発生には、ＣＯ２レーザーによるハイパワーな消霧効果が得られる装置で、走行車両への影響が発生しないように直接照射し、消霧能力を拡大することができる。
【００９６】
さらに、霧の発生に特定して検出できるセンサーとのシステム化で、霧発生時に限定した消霧装置の運転が可能となり、効率良い消霧効果が得られる。［その他］
上記実施例では、凝集媒体を専用に構成したが、フェンス（立ち入り防止柵、防風柵、防砂柵、飛雪防止柵）、ブラインド、ガラリ等として共用させることもできる。
【００９７】
凝集媒体は、霧を凝集させる媒体になれば良く、凝集網体９又は凝集格子膜体９Ｂに限らず、有孔板、多孔板、ワイヤ、バー（棒）などで構成することもできる。
【符号の説明】
【００９８】
５  凝集媒体組（凝集媒体）
７  照射ランプ（光照射部）
８  ＣＯ２レーザー出力部
９  凝集網体（凝集媒体）
９Ｂ  凝集格子膜体（凝集媒体）
１０  遠赤外線センサー（霧発生検出部）
３１  監視制御部（光制御部、通電制御部、電圧制御部、開閉制御部、ＣＯ２レーザー制御部）
３３  開閉駆動部
３５  通電制御部
【図１】
0005885016.tif 000002
【図２】
0005885016.tif 000003
【図３】
0005885016.tif 000004
【図４】
0005885016.tif 000005
【図５】
0005885016.tif 000006
【図６】
0005885016.tif 000007
【図７】
0005885016.tif 000008
【図８】
0005885016.tif 000009
【図９】
0005885016.tif 000010
【図１０】
0005885016.tif 000011